(57)【要約】【課題】ダストリップが外部からのダストの侵入を許した場合であっても、外部からのダストのオイルリップへの侵入を抑制することができ、且つ、油膜の掻き取りを抑制することができるオイルシールを提供すること。【解決手段】相対的に往復移動可能なロッド１０とハウジングとの間に介装されるオイルシールは、内部からのオイル漏れを抑制する環状のオイルリップ４０と、外部からのダストの浸入を抑制する環状のダストリップ５０とを備える。オイルリップ４０とダストリップ５０との間には、ロッド１０の外周面１２と摺接し外部からのダストの侵入を抑制するリング状部材８０が設けられる。リング状部材８０の摺接面８２には、外部側と内部側とを連通する連通路８４が設けられる。【選択図】図２
2010139043.tif 000002
【特許請求の範囲】
【請求項１】
相対的に往復移動可能なロッドとハウジングとの間に介装され、内部からのオイル漏れを抑制する環状のオイルリップと、外部からのダストの浸入を抑制する環状のダストリップとを備えるオイルシールにおいて、
前記オイルリップと前記ダストリップとの間に、前記ロッドの外周面と摺接し外部からのダストの浸入を抑制するリング状部材を備え、
前記リング状部材の摺接面には、外部側と内部側とを連通する連通路が設けられるオイルシール。
【発明の詳細な説明】
【技術分野】
【０００１】
本発明は、相対的に往復移動可能なロッドとハウジングとの間に介装されるオイルシールに関する。
【背景技術】
【０００２】
車両の上下振動を吸収するショックアブソーバには、振動を吸収するための粘性の高いオイルが封入されている。
【０００３】
従来、オイルを封止するオイルシールとして、相対的に往復移動可能なロッドとハウジングとの間に介装され、内部からのオイル漏れを抑制する環状のオイルリップと、外部からのダストの浸入を抑制する環状のダストリップとを備えるものが知られている（例えば、特許文献１及び２参照）。
【特許文献１】特開平９−２１０２１２号公報
【特許文献２】実開平６−１９３１号公報
【発明の開示】
【発明が解決しようとする課題】
【０００４】
しかしながら、上記特許文献１及び２記載のオイルシールは、オイルリップがダストを外部側へ掻き出す機能に乏しい。このため、一旦、ダストリップが外部からのダストの侵入を許すと、外部からのダストがオイルリップの内周面とロッドの外周面との間に噛み込む。よって、オイルリップが損傷し、ひいては、オイル漏れが生じる。
【０００５】
そこで、オイルリップとダストリップとの間にロッドの外周面と摺接し外部からのダストの侵入を抑制するリング状部材を設置することが考えられるが、この場合、リング状部材の摺接面がロッドの外周面に形成された油膜を掻き取ってしまう。油膜が掻き取られると、ロッドとダストリップとの摩擦が大きくなるので、ロッドによってダストリップが引き摺られ損傷することが考えられる。
【０００６】
本発明は、上記に鑑みてなされたものであって、ダストリップが外部からのダストの侵入を許した場合であっても、外部からのダストのオイルリップへの侵入を抑制することができ、且つ、油膜の掻き取りを抑制することができるオイルシールを提供することを目的とする。
【課題を解決するための手段】
【０００７】
前記目的を達成するため、本発明は、相対的に往復移動可能なロッドとハウジングとの間に介装され、内部からのオイル漏れを抑制する環状のオイルリップと、外部からのダストの浸入を抑制する環状のダストリップとを備えるオイルシールにおいて、
前記オイルリップと前記ダストリップとの間に、前記ロッドの外周面と摺接し外部からのダストの浸入を抑制するリング状部材を備え、
前記リング状部材の摺接面には、外部側と内部側とを連通する連通路が設けられる。
【発明の効果】
【０００８】
本発明によれば、ダストリップが外部からのダストの侵入を許した場合であっても、外部からのダストのオイルリップへの侵入を抑制することができ、且つ、油膜の掻き取りを抑制することができるオイルシールが得られる。
【発明を実施するための最良の形態】
【０００９】
以下、図面を参照して、本発明を実施するための最良の形態の説明を行う。
【実施例１】
【００１０】
図１は、本発明の実施例１のオイルシールの構成を示す断面図である。図２は、リング状部材８０の先端を拡大して示す断面図である。図３は、図２の矢印Ａ方向から見たリング状部材８０の先端の一部を示す正面図である。オイルシールは、相対的に往復移動するロッド１０とハウジング（図示せず）との間に介装され、ロッド１０とハウジングとの間をシールするものである。ロッド１０とハウジングとは、同軸的に配置されている。
【００１１】
オイルシールは、ゴム製のシール部２０と、金属補強環３０とを備える。シール部２０は、環状の形状であって、内周面がロッド１０の外周面１２に摺接すると共に、外周面が金属補強環３０によって内嵌される。このシール部２０は、金属補強環３０を介して、ハウジングと連結されている。
【００１２】
シール部２０は、内部からのオイル漏れを抑制する環状のオイルリップ４０と、外部からのダストの浸入を抑制する環状のダストリップ５０とを含み構成される。オイルリップ４０及びダストリップ５０は、ニトリルゴム（ＮＢＲ）やフッ素ゴム（ＦＫＭ）等のゴムで一体成形され、ロッド１０と同軸的に設置される。
【００１３】
オイルリップ４０は、ロッド１０の外周面１２に付着したオイルを内部側へかき戻し、ハウジング内に設置されたリザーバ室（図示せず）へ還流させる。オイルリップ４０の内周面には、内部からのオイル漏れを抑制するため、主リップ部４２、及び副リップ部４４が突設されている。
【００１４】
主リップ部４２及び副リップ部４４は、ロッド１０の外周面１２に向かって頂点をなす断面視略三角形状の環状部材であって、それぞれの頂端の内径寸法がロッド１０の外形寸法よりも僅かに小さくなるよう成形され、ロッド１０の外周面１２に対して液密に摺接する。
【００１５】
主リップ部４２は、ロッド１０とハウジングとの相対的な往復移動時に、ロッド１０によって引き摺られ変形されることがある。この変形が繰り返されると、主リップ部４２のシール性が損なわれる。そこで、主リップ部４２の変形を抑制するため、副リップ部４４が主リップ部４２より外部側に設置されている。
【００１６】
オイルリップ４０の外周面には、主リップ部４２に対応する位置に、第１のバネ環６０が装着されている。第１のバネ環６０は、径方向内方への緊迫力によって、主リップ部４２の頂端をロッド１０の外周面１２に押し当てている。これにより、オイルリップ４０とロッド１０との密着性を高めることができ、オイルシールの液密性を高めることができ、内部からのオイル漏出を抑制することができる。
【００１７】
ダストリップ５０は、オイルリップ４０よりも外部側に配置される。ダストリップ５０の先端縁５２は、その内径寸法がロッド１０の外形寸法よりも僅かに小さくなるよう成形され、ロッド１０の外周面１２に対して摺動自在に弾接している。従って、ダストリップ５０の先端縁５２によって、ロッド１０の外周面１２に付着したダストを外部側へ掻き出すことができる。
【００１８】
ダストリップ５０の外周面には、外部側の位置に、第２のバネ環７０が装着されている。第２のバネ環７０は、径方向内方への緊迫力によって、先端縁５２をロッド１０の外周面１２に押し当てている。これにより、ダストリップ５０とロッド１０との密着性を高めることができ、外部からのダストの侵入を抑制することができる。
【００１９】
オイルシールは、その特徴的な構成として、オイルリップ４０とダストリップ５０との間にリング状部材８０を備える。リング状部材８０は、ロッド１０の外周面１２と摺接し、外部からのダストの侵入を抑制する。リング状部材８０は、リップ４０、５０と一体成形されている。
【００２０】
リング状部材８０は、オイルリップ４０（副リップ部４４）の内周面から外部に向けて突設され、先端ほど肉薄になる先細り形状とされている。従って、リング状部材８０の摺接面８２は、ロッド１０とハウジングとの軸偏心に対して、リング状部材８０がオイルリップ４０との接続部位を固定端として軸直交方向へ弾性的に撓むことによって、追従することができる。これにより、ロッド１０の外周面１２に付着したダストのオイルリップ４０への侵入を効果的に抑制することができる。
【００２１】
また、リング状部材８０は、オイルリップ４０（副リップ部４４）の内周面から外部に向けて突設されるので、ロッド１０の外周面１２から掻き取られたダストが、矢印Ｆ方向に沿って、リング状部材８０とオイルリップ４０との接続部位へ送られる。従って、ダストがロッド１０の外周面１２に再付着することを抑制することができる。
【００２２】
更に、リング状部材８０は、オイルリップ４０（副リップ部４４）の内周面から突設されるので、オイルシールの大型化を防止することができる。仮に、リング状部材８０がダストリップ５０の内周面から突設されると、ダストリップ５０の軸方向寸法が長くなり、オイルシールが大型化する。
【００２３】
リング状部材８０の摺接面８２は、ロッド１０の外周面１２に摺接する。リング状部材８０の摺接面８２は、その内径寸法がロッド１０の外形寸法よりも僅かに小さくなるよう成形され、ロッド１０の外周面１２に対して摺動自在に弾接している。従って、リング状部材８０の摺接面８２によって、ロッド１０の外周面１２に付着したダストを外部側へ掻き出すことができる。
【００２４】
図２に示すように、リング状部材８０の摺接面８２は、外部側ほどロッド１０との密着性が高くなるよう、テーパ状に成形されている。よって、ロッド１０の外周面１２に付着したダストを外部側へ確実に掻き出すことができる。
【００２５】
図３に示すように、リング状部材８０の摺接面８２には、外部側と内部側とを連通する連通路８４が設けられる。連通路８４は、点在する複数の突起８６の間の隙間として構成されている。連通路８４は、ロッド１０とハウジングとの往復移動時に、ロッド１０の外周面１２の油膜を通過させる。
【００２６】
連通路８４の深さ方向寸法Ｄ（図２参照）は、油膜の厚さ及びダストの形状を考慮して適宜設定され、通常、５〜１５μｍに設定される。５μｍ未満の浅い場合、油膜を十分に通過させることが困難になり、一方、１５μｍを超える深い場合、比較的大きなダストのオイルリップ４０への侵入を許すことになり、オイルリップ４０が損傷し、オイル漏れが生じる。
【００２７】
以上説明したように、実施例１のオイルシールは、オイルリップ４０とダストリップ５０との間にロッド１０の外周面１２と摺接するリング状部材８０を備えるので、ダストリップ５０が外部からのダストの侵入を許した場合であっても、外部からのダストのオイルリップ４０への侵入を抑制することができる。また、リング状部材８０の摺接面８２には外部側と内部側とを連通する連通路８４が設けられるので、油膜の掻き取りを抑制することができる。
【実施例２】
【００２８】
図４は、本発明の実施例２のオイルシールの構成を示す断面図である。オイルシールは、図１のリング状部材８０の代わりに、リング状部材８０Ａを備える。リング状部材８０Ａ以外の構成は、図１と同様である。
【００２９】
リング状部材８０Ａは、図１のリング状部材８０と同様に、ロッド１０の外周面１２と摺接し、外部からのダストの侵入を抑制する。
【００３０】
リング状部材８０Ａは、図１のリング状部材８０と異なり、オイルリップ４０とダストリップ５０との間のデッドスペースから径方向内方に向けて突設され、外部側の位置に、突起部８８Ａを備える。突起部８８Ａは、外部側に向かって頂点をなす断面視略三角形状の環状部材であって、ロッド１０の外周面１２に対して摺動自在に弾接している。従って、突起部８８Ａによって、ロッド１０の外周面１２に付着したダストを外部側へ掻き出すことができる。
【００３１】
リング状部材８０Ａは、図１のリング状部材８０と異なり、リップ４０、５０と比較して、弾性係数の低い部材で成形され、内径寸法が小さくなるよう成形されている。これにより、リップ４０、５０とロッド１０との密着性を損なうことなく、リング状部材８０Ａとロッド１０との密着性を高める。従って、外部からのダストの侵入を効果的に抑制することができる。
【００３２】
このリング状部材８０Ａは、多孔質の弾性部材で成形され、例えば多孔質のウレタンで成形される。リング状部材８０Ａは、リップ４０、５０と別部品として成形され、リップ４０、５０に連結される。連結は、接着剤によって行われてもよいし、嵌合によって行われてもよい。
【００３３】
リング状部材８０Ａの摺接面８２Ａには、外部側と内部側とを連通する連通路８４Ａが設けられる。連通路８４Ａは、図１の連通路８４と異なり、多孔質体の連続孔として構成されている。連通路８４Ａは、ロッド１０とハウジングとの往復移動時に、ロッド１０の外周面１２に形成された油膜を通過させる。
【００３４】
以上説明したように、実施例２のオイルシールは、オイルリップ４０とダストリップ５０との間にロッド１０の外周面１２と摺接するリング状部材８０Ａを備えるので、ダストリップ５０が外部からのダストの侵入を許した場合であっても、外部からのダストのオイルリップ４０への侵入を抑制することができる。また、リング状部材８０Ａの摺接面８２Ａには外部側と内部側とを連通する連通路８４Ａが設けられるので、油膜の掻き取りを抑制することができる。
【００３５】
以上、本発明の好ましい実施例について詳説したが、本発明は、上述した実施例に制限されることはなく、本発明の範囲を逸脱することなく、上述した実施例に種々の変形及び置換を加えることができる。
【００３６】
例えば、上述した実施例１において、リング状部材８０Ａは、リップ４０、５０と一体成形されるとしたが、別部品として成形されリップ４０、５０に連結されてもよい。連結は、接着剤によって行われてもよいし、嵌合によって行われてもよい。
【図面の簡単な説明】
【００３７】
【図１】本発明の実施例１のオイルシールの構成を示した断面図である。
【図２】リング状部材８０の先端を拡大して示す断面図である。
【図３】図２の矢印Ａ方向から見たリング状部材８０の先端を示す正面図である。
【図４】本発明の実施例２のオイルシールの構成を示した断面図である。
【符号の説明】
【００３８】
１０  ロッド
４０  オイルリップ
５０  ダストリップ
８０  リング状部材
８２  リング状部材の内周面
８４  連通路
【図１】
2010139043.tif 000003
【図２】
2010139043.tif 000004
【図３】
2010139043.tif 000005
【図４】
2010139043.tif 000006